(57)【要約】  実施形態に係るピックアップユニット（１０）は、ギター（１００）の複数本の弦（８）それぞれに１対１で対応して設けた複数の圧電素子（２５）と、複数本の弦（８）それぞれの一端を保持するとともに、複数の圧電素子（２５）をそれぞれ接触せしめた状態で備えた、複数の互いに独立した金属製の機能ブロック（２０）と、これら複数の機能ブロック（２０）を互いに離間せしめた状態で並べて取り付け、ギター（１００）の胴板（２ａ）の内面側に接触して配置されたベース板（２２）と、を有する。
2016035143.tif 000002
【特許請求の範囲】
【請求項１】
ギターなどの弦楽器に取り付けるピックアップユニットであって、
上記弦楽器の複数本の弦それぞれに１対１で対応して設けた複数の圧電素子と、
上記複数本の弦それぞれの一端を保持するとともに、上記複数の圧電素子をそれぞれ接触せしめた状態で備えた、複数の互いに独立した金属製の機能ブロックと、
これら複数の機能ブロックを互いに離間せしめた状態で並べて取り付け、上記弦楽器の胴板の内面側に接触して配置されたベース部材と、
を有するピックアップユニット。
【請求項２】
上記複数の機能ブロックは、上記胴板に設けた上記複数本の弦を通すための複数の孔にそれぞれ係合して上記ベース部材を上記胴板に対して位置決めするため、上記ベース部材を貫通して延びた係合突起をそれぞれ有する、
請求項１のピックアップユニット。
【請求項３】
上記複数の圧電素子は、互いに離間した状態で一列に並んで棒状に一体化され、上記複数の機能ブロックをその並び方向に貫通して設けられる、
請求項１のピックアップユニット。
【請求項４】
上記複数の圧電素子は、導電性の金属材料により外側を巻かれ、上記複数の機能ブロックに接触して導通し、上記複数の機能ブロックを接地する、
請求項３のピックアップユニット。
【請求項５】
上記複数の機能ブロックは、それぞれ対応する上記圧電素子をその積層方向に押圧してクランプする板バネをそれぞれ一体に有する、
請求項１のピックアップユニット。
【請求項６】
上記複数の機能ブロックは、上記ベース部材との間で、上記弦の張設方向に、上記圧電素子を押圧する、
請求項１のピックアップユニット。
【請求項７】
上記複数の機能ブロックは、それぞれ、１枚の金属板を加工して形成される、
請求項１乃至請求項６のうちいずれかのピックアップユニット。
【発明の詳細な説明】
【技術分野】
【０００１】
本発明の実施形態は、ギターなどの弦楽器に取り付けるピックアップユニットに関する。
【背景技術】
【０００２】
従来、アコースティックギターの音を増幅するため、ブリッジに取り付けるサドルの下に圧電素子を配置したものが知られている。このように、サドルの下に圧電素子を配置することで、簡単な構成の追加により、増幅機能を追加することができる。
【発明の概要】
【発明が解決しようとする課題】
【０００３】
しかし、サドルには弦の張力がかかるため、ネック方向に傾斜する向きの応力が作用する。このため、サドルの下の圧電素子に作用する圧力が不均一となり、振動の伝わり方にバラつきを生じ、音質が悪くなる。【０００４】
よって、音質を良くできるピックアップユニットの開発が望まれている。
【課題を解決するための手段】
【０００５】
実施形態に係るピックアップユニットは、弦楽器の複数本の弦それぞれに１対１で対応して設けた複数の圧電素子と、複数本の弦それぞれの一端を保持するとともに、複数の圧電素子をそれぞれ接触せしめた状態で備えた、複数の互いに独立した金属製の機能ブロックと、これら複数の機能ブロックを互いに離間せしめた状態で並べて取り付け、弦楽器の胴板の内面側に接触して配置されたベース部材と、を有する。
【発明の効果】
【０００６】
実施形態によると、音質を良くできるピックアップユニットを提供できる。
【図面の簡単な説明】
【０００７】
【図１】図１は、第１の実施形態に係るピックアップユニットを備えたギターを示す概略図である。
【図２】図２は、第１の実施形態に係るピックアップユニットを示す外観斜視図である。
【図３】図３は、図２のピックアップユニットの平面図である。
【図４】図４は、図３のＦ４−Ｆ４に沿ってピックアップユニットを見た断面図である。
【図５】図５は、図３のＦ５に沿ってピックアップユニットを見た側面図である。
【図６】図６は、図３のピックアップユニットの機能ブロックを展開した展開図である。
【図７】図７は、第２の実施形態に係るピックアップユニットの平面図である。
【図８】図８は、図７のＦ８−Ｆ８に沿ってピックアップユニットを見た断面図である。
【図９】図９は、図７のＦ９に沿ってピックアップユニットを見た側面図である。
【図１０】図１０は、図７のピックアップユニットの機能ブロックを展開した展開図である。
【発明を実施するための形態】
【０００８】
以下、図面を参照して、本発明の実施形態について説明する。  
図１は、第１の実施形態に係るピックアップユニット１０を備えた弦楽器の一例として、アコースティックギター１００（以下、単に、ギター１００と称する。）を示す外観図である。図２は、ギター１００に取り付けられた本実施形態のピックアップユニット１０の外観斜視図を示す。
【０００９】
図１に示すように、ギター１００は、内部が空洞のボディー２、ネック４、およびヘッド６を有する。ネック４は、ボディー２の一端に固定されてヘッド６まで延設されている。ボディー２の表面側の胴板２ａには、弦８の一端を保持せしめるためのブリッジ１２が設けられている。ヘッド６には、弦８の他端をそれぞれ巻き付ける６個のチューニングペグ１４が設けられている。すなわち、ギター１００は、ネック４に沿って６本の弦８を張設している。
【００１０】
図２に示すように、ピックアップユニット１０は、ブリッジ１２に対向して、胴板２ａの裏面側に取り付けられる。胴板２ａには、弦８の振動をボディー２内に導くための円形のホール２ｂが設けられている。また、胴板２ａの内面には、補強のための複数本のブレーシング３が貼り付けられている。ピックアップユニット１０は、ホール２ｂを通してボディー２内に挿入配置される。
【００１１】
以下、第１の実施形態のピックアップユニット１０について、図３乃至図６を参照して詳細に説明する。  
図３は、ピックアップユニット１０の平面図であり、図４は、このピックアップユニット１０を図３のＦ４−Ｆ４に沿って見たギター１００の部分断面図である。また、図５は、ピックアップユニットを図５の矢印Ｆ５に沿って見た側面図である。さらに、図６は、ピックアップユニット１０の１つの機能ブロック２０を展開した展開図である。
【００１２】
図３および図５に示すように、ピックアップユニット１０は、弦８の本数に応じた数（本実施形態では６個）の機能ブロック２０を有する。これら複数個の機能ブロック２０は、互いに離間して、短手方向に並べてベース板２２（ベース部材）の表面に取り付けられている。機能ブロック２０の詳細については後で説明する。
【００１３】
ベース板２２は、ブレーシング３の間に（図２に示すように）配置されるため、ブレーシング３に沿った輪郭形状を有する。言い換えると、ベース板２２は、ブレーシング３を避けて、その裏面が胴板２ａの裏面に全面で接触するように配置される。
【００１４】
また、ピックアップユニット１０は、６個の機能ブロック２０をその並び方向に貫通して延びた細長い棒状のピエゾピックアップセンサ２４（以下、単に、ピエゾセンサ２４と称する）を有する。ピエゾセンサ２４は、各機能ブロック２０毎に独立した複数個（本実施形態では６個）の圧電素子２５（図４）を備えている。
【００１５】
具体的には、複数個の圧電素子２５は、ピエゾセンサ２４の長手方向に沿って互いに離間して一直線に並べて配置され、その外側を導伝性の金属テープ２６によって巻き締められている。これにより、隣接する圧電素子２５同士がバラバラにならずにしっかり保持され、互いに物理的に分離される。
【００１６】
なお、各圧電素子２５は、後述するように機能ブロック２０の板バネ４２によってそれぞれ押圧されて保持されるため、２つの電極２５ａ、２５ｃと圧電体２５ｂの重ね方向が同じ向きになるように揃えられている。言い換えると、各圧電素子２５は、対応する機能ブロック２０の板バネ４２によって、２つの電極２５ａ、２５ｃと圧電体２５ｂの重ね方向に押圧されることになる。
【００１７】
ここで、機能ブロック２０について詳細に説明する。  
機能ブロック２０は、図６に展開図を示すように、１枚のアルミ板を形状加工して、折り曲げることで、略矩形ブロック状に形成されている。ベース板２２と略平行に離間した機能ブロック２０の上壁２０ａには、弦８の一端に固設したボールエンド８ａを挿通可能な大きさの上開口３１が設けられている。
【００１８】
上開口３１に隣接して、上壁２０ａには、ボールエンド８ａを引っ掛けて留めるための２つの係合片３２が一体に設けられている。各係合片３２は、上壁２０ａの一部をベース板２２から離れる方向に約６０°折り曲げて形成されている。
【００１９】
また、上壁２０ａに上開口３１を形成すると同時に、上壁２０ａに十字のピン状の接触片３３が形成される。接触片３３の基端部は、上壁２０ａとつながり、接触片３３がこの基端部でベース板２２に向けて内側に略直角に折り曲げられる。
【００２０】
接触片３３がベース板２２に向かう先端には、ベース板２２を貫通して延びる係合突起３４が設けられている。この係合突起３４は、ピックアップユニット１０を胴板２ａに取り付ける際に、弦８を挿通する胴板２ａの孔３５の縁３５ａに係合することで、ピックアップユニット１０を位置決めする機能を担う。
【００２１】
また、接触片３３は、係合突起３４の基端近くに、当接肩部３６を有する。当接肩部３６は、機能ブロック２０をベース板２２に取り付けた状態で、ベース板２２の表面に当接する。これにより、弦８の張力によって、機能ブロック２０の上壁２０ａがベース板２２に向けて押圧された際に、上壁２０ａがベース板２２の方向に撓むことを防止する。
【００２２】
ボールエンド８ａを係合片３２、３２に引っ掛けた弦８は、接触片３３の一方の面に接触する。弦８の他端をチューニングペグ１４に巻き付けて張設すると、接触片３３の先端にある係合突起３４は、弦８の張力によって、胴板２ａの孔３５の縁に押し付けられる。また、弦８を張設することで、ボールエンド８ａが機能ブロック２０の上壁２０ａを胴板２ａに向けて引き付ける方向に押圧し、ピックアップユニット１０を胴板２ａに押し付けることができる。また、弦８を張設することで、弦８を機能ブロック２０の接触片３３に押圧させて接触させることができ、両者を電気的に良好に接続することができ、且つ弦８の振動を機能ブロック２０に良好に伝えることができる。
【００２３】
一方、機能ブロック２０の長手方向に沿った２枚の側壁２０ｂには、ピエゾセンサ２４を挿通するための矩形の横開口３７がそれぞれ設けられている。この横開口３７に隣接して、側壁２０ｂには、それぞれ、少し小さな矩形の開口３８が設けられている。各側壁２０ｂに設けた２つの開口３７、３８は、複数の機能ブロック２０を短手方向に並べたときに一列に並ぶ位置に設けられている。
【００２４】
また、機能ブロック２０の長手方向両端にある２つの端壁２０ｃ、２０ｄにも、それぞれ矩形の小さな開口３９が設けられている。これら端壁２０ｃ、２０ｄに設けた開口３９は、上述した開口３８とともに、機能ブロック２０の軽量化に役立つ。また、開口３９は、ピックアップセンサ２４を板バネ４２の先端と接触片３３との間に押し込む際に、ピン状の工具を挿通するための作業孔としても機能する。
【００２５】
機能ブロック２０の長手方向両端にある２つの端壁２０ｃ、２０ｄは、それぞれ、ベース板２２に対向する端辺に小さな突起４１を有する。この突起４１は、ベース板２２に対応して設けた図示しない貫通孔に嵌合し、機能ブロック２０をベース板２２に対して位置合わせする。これにより、機能ブロック２０のベース板２２に対する取り付けを容易にする。
【００２６】
さらに、機能ブロック２０の一方の端壁２０ｄには、ピエゾセンサ２４の各圧電素子２５を押圧して保持するための板バネ４２が設けられている。板バネ４２は、端壁２０ｄのベース板２２に対向する端辺から延設され、この端辺の位置で上壁２０ａに向けて鋭角に折り曲げられる。板バネ４２の先端は、ピエゾセンサ２４に面で接触するように僅かに折り曲げられている。ピエゾセンサ２４（圧電素子２５）は、板バネ４２の先端と接触片３３との間に挟まれる。
【００２７】
以下、上述した構造のピックアップユニット１０の組み立て方法について説明する。  
まず、各機能ブロック２０を組み立てる場合、図６のアルミ板を以下のように折り曲げる。まず、上壁２０ａの接触片３３を紙面奥側へ略直角に折り曲げる。また、２つの係合片３２を紙面手前側へ略６０°折り曲げる。さらに、一方の端壁２０ｄの板バネ４２を紙面奥側へ９０°を超えて鋭角に折り曲げる。そして、２つの側壁２０ｂおよび２つの端壁２０ｃ、２０ｄを上壁２０ａに対して紙面奥側へ略直角に折り曲げる。
【００２８】
次に、上記のように組み立てた機能ブロック２０を、弦８の本数だけ用意して、ベース板２２の表面に並べて取り付ける。この際、ベース板２２の表面に予め形成した穴に、機能ブロック２０の２つの端壁２０ｃ、２０ｄから突出した突起４１をそれぞれ嵌め込む。これにより、複数個の機能ブロック２０をベース板２２に容易に取り付けできる。なお、このとき、各機能ブロック２０の係合突起３４は、ベース板２２の図示しない孔を通して裏面側にそれぞれ突出する。
【００２９】
この後、ベース板２２の長手方向に並んだ複数個の機能ブロック２０をその並び方向に貫通して、ピエゾセンサ２４を取り付ける。ピエゾセンサ２４は、各機能ブロック２０の側壁２０ｂに設けた横開口３７を通して挿入される。そして、ピエゾセンサ２４を全ての機能ブロック２０に挿通した後、各機能ブロック２０の板バネ４２の先端と接触片３３の弦８とは反対側の面との間にピエゾセンサ２４を押し込む。この際、ピエゾセンサ２４の各圧電素子２５を電極２５ａ、２５ｃの積層方向に挟む姿勢でピエゾセンサ２４を取り付ける。
【００３０】
次に、上記のように組み立てたピックアップユニット１０をギター１００に取り付ける方法について説明する。なお、ここでは、ピックアップユニット１０の取り付け方法についてのみ説明し、ピエゾセンサ２４の配線や、図示しないアンプユニット、バッテリーボックスなどの付属部品についての取り付け方法およびその構成についての説明は省略する。
【００３１】
ピックアップユニット１０をギター１００に取り付ける場合、ピックアップユニット１０をギター１００の胴板２ａのホール２ｂを介してボディー２内に挿入する。このとき、弦８はまだ張っていない状態とする。
【００３２】
そして、ピックアップユニット１０のベース板２２の裏面を胴板２ａの裏面に接触させてピックアップユニット１０を位置決めする。この際、ベース板２２の裏面側に突出した各機能ブロック２０の複数本の係合突起３４を、弦８を挿通するため胴板２ａに設けた孔３５の縁３５ａにそれぞれ係合することで、ピックアップユニット１０を胴板２ａに対して位置決めする。ピックアップユニット１０は、両面テープ等を介して胴板２ａの裏面に仮固定する。
【００３３】
以上のように、本実施形態によると、弦８の一端を保持した機能ブロック２０同士が互いに離間して独立した状態でベース板２２に取り付けられているため、隣接する弦８の振動が伝わり難い。特に、本実施形態によると、ピエゾセンサ２４の複数個の圧電素子２５を、それぞれ対応する機能ブロック２０に１対１で割り当てたため、弦８から機能ブロック２０に伝えられた振動を個別の圧電素子２５に伝えることができる。よって、本実施形態によると、各弦８の振動を個別の圧電素子２５に効果的に伝達でき、各弦８の音を際立たせることができる。
【００３４】
また、上記のように、各弦８の音（振動）を個別にピックアップできる機能ブロック２０を用いることで、弦ごとに音色を変えることもできる。例えば、この場合、機能ブロック２０の材質を変えることで、高音弦に適した硬い音を作ることもでき、低音弦に適した柔らかい音を作ることもできる。硬い音を作るためには、比較的硬度の高いチタンなどを用いると良い。なお、上述した実施形態では、機能ブロック２０をアルミニウム板により形成したが、機能ブロック２０の材質は変更可能である。機能ブロック２０の金属材料として、例えば、ニッケルシルバー、銅、真鍮、ステンレス、銀合金、プラチナ、金、ロジウムなどを用いることができる。
【００３５】
また、本実施形態によると、弦８の振動を機能ブロック２０の接触片３３を介してピエゾセンサ２４の各圧電素子２５に伝えることができるため、弦８の振動を圧電素子２５に直接伝えることができる。つまり、従来のように、サドルの下にピエゾセンサを配置する場合と比較して、弦８の振動を各圧電素子２５に確実に伝えることができる。特に、本実施形態では、機能ブロック２０の板バネ４２と接触片３３との間で、圧電素子２５をその積層方向に押圧するため、圧電素子２５における振動／電圧変換効率を高めることが出来る。
【００３６】
また、本実施形態によると、機能ブロック２０の接触片３３を介して弦８と圧電素子２５を電気的に接続することができ、ノイズキャンセリング効果を期待できる。ギター１００の弦８は、良好な導伝体である人体に触れるとともに、その長さが比較的長いことから、外部からのノイズを拾うアンテナとして機能してしまう。しかし、本実施形態では、弦８に乗ったノイズは、ピエゾセンサ２４を介してアースされる。このため、ギター１００の出力をアンプで増幅した際にも、ノイズが殆ど無いきれいな音を出すことができる。
【００３７】
また、本実施形態によると、ピエゾセンサ２４が複数個近接して並んだ機能ブロック２０を貫通して配置されているため、ピエゾセンサ２４に乗るノイズも少なくすることができる。つまり、この場合、複数個の機能ブロック２０がピエゾセンサ２４のシールド部材として機能することになる。
【００３８】
また、本実施形態によると、弦８の一端を保持した機能ブロック２０自体が音を響かせる共鳴体として機能する。このため、ギター１００のボディー２での共鳴作用に加えて、弦ごとに厚みのある音色を生出することができ、付加価値を高くすることができる。なお、本実施形態のギター１００は、アンプを通して音を増幅しない場合でも、ピックアップユニット１０を持たない一般的なギターと比べて音質を良くすることができる。
【００３９】
さらに、本実施形態のピックアップユニット１０は、ギター１００に孔などを開けることなく取り付けることができる。アンプにつながるシールドは、ボディー２のエンドピンの孔などを通して引き出せば良い。また、ピックアップユニット１０をギター１００の胴板２ａに取り付ける際にも、接着剤などを用いて強固に固定する必要はなく、容易に取り外して交換することができる。例えば、ピックアップユニット１０を胴板２ａに固定しない場合、ピックアップユニット１０を片手で押さえて弦８を張れば、弦８の張力によってピックアップユニット１０を胴板２ａに密着させることができる。また、この際、ベース板２２の裏面から突出した複数本の係合突起３４が胴板２ａの孔３５に係合するため、ピックアップユニット１０の取り付けの際にずれる心配もない。
【００４０】
次に、本発明の第２の実施形態について、図７乃至図１０を参照して説明する。なお、ここでは、上述した第１の実施形態と同様に機能する構成要素には同一符号を付してその詳細な説明を省略する。  
図７は、本実施形態のピックアップユニット４０を示す平面図である。図８は、機能ブロック５０を図７のＦ８−Ｆ８に沿って見たピックアップユニット４０の断面図である。図９は、ピックアップユニット４０を図７の矢印Ｆ９方向から見た側面図である。図１０は、機能ブロック５０の展開図である。
【００４１】
図７に示すように、ピックアップユニット４０は、ベース板２２の長手方向に沿って６つの機能ブロック５０を備えている。ピックアップユニット４０は、ベース板２２の裏面をギター１００の胴板２ａの内面に接触させるようにギター１００に取り付けられる。
【００４２】
各機能ブロック５０は、図１０に示す形状の１枚のアルミ板５０’を複数個所で折り曲げて構成される。機能ブロック５０は、図８に示すようにベース板２２に取り付けた状態（６本の弦８を張った状態）で、ベース板２２と平行に離間して配置される矩形の上壁部分５１を有する。
【００４３】
上壁部分５１の一端（図８、１０で上方の端部）には、略三角形状の支持脚部５２が連続して一体に設けられている。支持脚部５２の先端には係合突起５２ａが突設されている。また、上壁部分５１の他端には、２本の細長いバネ脚部５３、５４が連続して一体に設けられている。さらに、２本のバネ脚部５３、５４の間には、帯状片５５が設けられている。帯状片５５は、上壁部分５１の他端に連続して一体に設けられている。
【００４４】
２本のバネ脚部５３、５４は、それぞれ、略三角形状の支持片５３ａ、５４ａ、および略台形状の羽根状片５３ｂ、５４ｂを一体且つ連続して有する。支持片５３ａ（５４ａ）は、上壁部分５１から離間したバネ脚部５３（５４）の先端側でバネ脚部５３（５４）の外側に設けられている。羽根状片５３ｂ（５４ｂ）は、上壁部分５１と支持片５３ａ（５４ａ）との間のバネ脚部５３（５４）の外側に設けられている。
【００４５】
機能ブロック５０を組み立てる場合、バネ脚部５３、５４の支持片５３ａ、５４ａを９０°捩じる方向に折り曲げ、羽根状片５３ｂ、５４ｂを図１０で紙面奥側へ９０°折り曲げる。支持片５３ａ、５４ａは、バネ脚部５３、５４の外側から紙面奥側へ捩じることで、バネ脚部５３、５４と角度が９０°異なる面に沿って配置される。
【００４６】
次に、２本のバネ脚部５３、５４を上壁部分５１との間の接続部分で図１０で紙面手前側に折り曲げる。このときの折り曲げ角度は、図８に示すように鈍角である。また、２本のバネ脚部５３、５４を支持片５３ａ、５４ａと羽根状片５３ｂ、５４ｂとの間で紙面奥側へ折り曲げる。このときの折り曲げ角度は、図８に示すように鋭角である。
【００４７】
支持片５３ａ（５４ａ）は、図８に示すように機能ブロック５０をベース板２２に取り付けた状態で、ベース板２２の表面に当接する当接縁５３ｃ（５４ｃ）を有する。また、支持片５３ａ（５４ａ）は、当接縁５３ｃ（５４ｃ）の端に片寄った位置に、係合突起５３ｄ、５４ｄを有する。
【００４８】
さらに、帯状片５５を図１０で紙面奥側へ９０°折り曲げ、支持脚部５２を紙面奥側へ９０°折り曲げる。帯状片５５は、その先端に、係合突起５６を有する。係合突起５６は、図８に示すように機能ブロック５０を取り付けた状態で、ベース板２２の裏面側に突出する長さを有する。帯状片５５は、上述した第１の実施形態の接触片３３と同様に機能し、係合突起５６は、上述した第１の実施形態の係合突起３４と同様に機能する。
【００４９】
上記構造の機能ブロック５０をベース板２２に取り付ける場合、支持脚部５２の係合突起５２ａ、および２本のバネ脚部５３、５４の係合突起５３ｄ、５４ｄを、それぞれ、ベース板２２に設けた貫通孔に係合させる。これにより、各機能ブロック５０をベース板２２に容易に位置合わせして取り付けできる。なお、このとき、機能ブロック５０のバネ脚部５３の係合突起５３ｄ、およびバネ脚部５４の係合突起５４ｄをベース板２２に固定し、支持脚部５２の係合突起５２ａは固定しない。
【００５０】
上記のように６個の機能ブロック５０をベース板２２に並べて取り付けた後、６個の機能ブロック５０を貫通するようにピエゾセンサ２４を挿通配置する。この際、細長い板状のスペーサ５７を各機能ブロック５０の上壁部分５１の内面側に配置し、このスペーサ５７を上壁部分５１とピエゾセンサ２４で挟むようにスペーサ５７およびピエゾセンサ２４を取り付ける。
【００５１】
スペーサ５７は、例えば、木片に導伝性の金属テープを巻いて形成される。スペーサ５７は、或いは、中実な金属材料により形成しても良い。弦８を張る前の状態では、機能ブロック５０の支持脚部５２の係合突起５２ａがベース板２２に固定されていないため、ピエゾセンサ２４とスペーサ５７を重ねて挿通できる余裕がある。そして、ピエゾセンサ２４とスペーサ５７を重ねて挿通配置した状態で弦８を張ると、バネ脚部５３、５４が弾性変形して、ピエゾセンサ２４とスペーサ５７がその重ね方向に押圧される。言い換えると、スペーサ５７は、機能ブロック５０内に配置して弦８を張ったとき、ピエゾセンサ２４を押圧できる厚みに設計されている。
【００５２】
弦８を張る場合、ギター１００のボディー２の表面側から胴板２ａの孔３５を介してボールエンド８ａを挿通する。このとき、ボールエンド８ａは、孔３５の縁３５ａに係合した状態の係合突起５６に沿って案内されるとともに、機能ブロック５０の２つの支持片５３ａ、５４ａ、および２つの羽根状片５３ｂ、５４ｂの間を通って案内される。言い換えると、２つの支持片５３ａ、５４ａ、および２つの羽根状片５３ｂ、５４ｂは、ボールエンド８ａを案内するガイド部材として機能する。
【００５３】
特に、２つの支持片５３ａ、５４ａは、外側に捩じる方向に折り曲げられているため、その間の開口部が比較的大きく広げられており、ボールエンド８ａを容易に挿通可能となっている。そして、このように、機能ブロック５０に挿通されたボールエンド８ａは、上壁部分５１とバネ脚部５３、５４の中央の折り曲げ部分との間の傾斜した部位に係合。この際、ボールエンド８ａにつながった弦８は、２本のバネ脚部５３、５４の間を通る。
【００５４】
以上のように、本実施形態によると、６つの機能ブロック５０が独立しているため、上述した第１の実施形態と同様に、隣接する弦８の振動が伝わり難く、各圧電素子２５に各弦８の振動を個別に伝えることができ、各弦８の音を際立たせることができる。また、本実施形態でも、機能ブロック５０の材質を変えることで、弦８ごとに音色を変えることもできる。
【００５５】
また、本実施形態においても、帯状片５５と上壁部分５１を介して、機能ブロック５０に弦８の振動を伝えるとともに、弦８を機能ブロック５０に電気的に導通させるため、弦８の振動を高い感度で検出でき、ノイズキャンセリング効果も期待できる。
【００５６】
また、本実施形態のピックアップユニット４０も、第１のピックアップユニット１０と同様に、ギター１００のボディー２に取付専用の孔を開けたり接着剤を用いたりすることなく取り付けでき、利便性を向上させることができる。
【００５７】
さらに、本実施形態によると、ピエゾセンサ２４の押圧方向を弦８の張設方向と一致させているため、より強い押圧力で圧電素子２５を挟持拘束でき、ピエゾセンサ２４の感度をより高くすることができる。
【００５８】
なお、上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態やその変形は、発明の範囲や要旨に含まれると同様に、特許請求の範囲に記載された発明とその均等の範囲に含まれるものである。
【００５９】
例えば、上述した実施形態では、弦楽器としてギター１００に本発明を適用した場合について説明したが、これに限らず、エレクトリックギター、バイオリン、ピアノなど、他の擦弦楽器や弾弦楽器に本発明を適用することもできる。
【符号の説明】
【００６０】
２…ボディー、２ａ…胴板、２ｂ…ホール、４…ネック、６…ヘッド、８…弦、１０、４０…ピックアップユニット、１２…ブリッジ、１４…チューニングペグ、１６…サドル、２０、５０…機能ブロック、２２…ベース板、２４…ピエゾピックアップセンサ、２５…圧電素子、３３…接触片、３４…係合突起、３５…孔、３６…当接肩部、４１…突起、４２…板バネ、１００…アコースティックギター。
【図１】
2016035143.tif 000003
【図２】
2016035143.tif 000004
【図３】
2016035143.tif 000005
【図４】
2016035143.tif 000006
【図５】
2016035143.tif 000007
【図６】
2016035143.tif 000008
【図７】
2016035143.tif 000009
【図８】
2016035143.tif 000010
【図９】
2016035143.tif 000011
【図１０】
2016035143.tif 000012
【国際調査報告】
2016035143.tif 000013
2016035143.tif 000014
2016035143.tif 000015
2016035143.tif 000016